(57)【要約】【課題】太陽光の透過性を確保しながら遮光構造を果たし、多量の雨水や霜の浸入を防ぎ、害虫等の浸入を防ぐことができる生育植物の保護カバー体を提供すること。【解決手段】  熱可塑性樹脂原料１１を加熱溶融し、その中に発泡剤を混合して溶融樹脂原料中に多数の大小気泡を生成し、かかる気泡含有樹脂原料を筒状フィルムＦに成形し、筒状フィルムＦの周壁内に気泡を含有させた状態とし、次いで筒状フィルムＦを扁平状に巻取るまでの間に筒状フィルムＦの周壁内の気泡を気泡破裂手段により破裂させて筒状フィルムＦの全周壁に大きさや形状の異なる多数の通気孔Ｂを不整順に開口形成し、かかる多数の孔付き筒状フィルムＤを生育植物Ｅの全体を被覆可能な所定形状に裁断成形して構成したことを特徴とする生育植物の保護カバー体１１である。【選択図】図１
2015198575.tif 000002
【特許請求の範囲】
【請求項１】
熱可塑性樹脂原料を加熱溶融し、その中に発泡剤を混合して溶融樹脂原料中に多数の大小気泡を生成し、
かかる気泡含有樹脂原料を筒状フィルムに成形し、筒状フィルムの周壁内に気泡を含有させた状態とし、次いで筒状フィルムを扁平状に巻取るまでの間に筒状フィルムの周壁内の気泡を気泡破裂手段により破裂させて筒状フィルムの全周壁に大きさや形状の異なる多数の通気孔を不整順に開口形成し、かかる多数の孔付き筒状フィルムを生育植物の全体を被覆可能な所定形状に裁断成形して構成したことを特徴とする生育植物の保護カバー体。
【請求項２】
気泡破裂手段は複数段に一定間隔で積層した円盤と、その外周縁を下方に向かった傾斜面により鋭角に形成した円盤先端縁と、それに沿った筒状フィルム内周面の間に形成した断面略三角形状の空気溜り空間と、積層した円盤間に空気を送気する空気供給経路とより構成したことを特徴とする請求項１に記載の生育植物の保護カバー体。
【請求項３】
筒状フィルムの全周壁に多数の通気孔を開口形成した後には、筒状フィルムを左右二本の弾性ガイド線の外方に沿って案内しながら扁平状に折り畳み、その後所定形状に裁断成形することを特徴とする請求項１又は請求項２に記載の生育植物の保護カバー体。
【請求項４】
前記カバー体は下方開口部又は上方開口部を有した袋状に形成したことを特徴とする請求項１〜請求項３のいずれか１項に記載の生育植物の保護カバー体。
【請求項５】
前記カバー体は筒状から一定幅員の一枚のシート長尺形状に改変して巻取り、解舒しながら畑の畝の隆起部上面を畝の長手方向に沿って被覆可能な形状としたことを特徴とする請求項１〜請求項４のいずれか１項に記載の生育植物の保護カバー体。
【発明の詳細な説明】
【技術分野】
【０００１】
この発明は、鉢植えの植物や畝植えの植物、露地植えの植物等の生育植物を、霜や雨水等から防御するための生育植物の保護カバー体に関する。
【背景技術】
【０００２】
従来、例えば鉢植えの植物等を庭先等で生育する際に、寒冷の季節や雨水の多い時期等には、霜害や雨害を避けるために、屋内や直接に外気に晒されない場所に鉢植えを移動して生育植物の保護をしなければならない。
【０００３】
かかる煩雑さを回避するために、日光を透過可能とした透明素材の被覆カバーを生育植物に被せて屋外に常時放置しておくことがある。
【０００４】
被覆カバーは、所定の有底袋形状として鉢ごと内部に載置し、上方の袋開口部を所定手放しで閉塞可能とした構造のものであったり、全体をほぼ密封状の袋として鉢底面部を載置して下底開口部を固定閉塞したりする構造であったり、合成樹脂製の保護カバーの表面を多孔構造に穿孔し、通気性を保持し、雨水が直接には生育植物にかからないようにし、樹脂厚材の透明性を利用して太陽光を充分に獲得して植物の光合成に支障がない構造としたものなど各種のカバー体が考えられている。
【先行技術文献】
【特許文献】
【０００５】
【特許文献１】特開２００１−１７２９４８号公報
【発明の概要】
【発明が解決しようとする課題】
【０００６】
ところが、かかる従来の植物保護カバー体は、素材が合成樹脂で形成される場合がほとんどであり、太陽光の透過性を確保しているとは言え、充分な遮光構造を果たすものではなく、長期間の屋外使用で素材が劣化して遮光機構が低下して光合成に支障を生起するおそれがあり、また、穿孔した通気孔からの通気性を確保できるものの雨水が一定の大きさの通気孔から多量に浸入して生育植物の根腐れを生起するおそれもあり、降霜雪部には一定大きさの通気孔から寒気が大量に浸入して霜害を及ぼす等の不都合を生じていた。
【０００７】
また、害虫による食害から植木鉢内の生育植物を守る場合には、殺虫剤を使用していた。
【０００８】
この発明は、上記課題を解決するためになされたもので、太陽光の透過性を確保しながら遮光構造を果たし、多量の雨水や霜の浸入を防ぎ、害虫等の浸入を防ぐことができる生育植物の保護カバー体を提供することを目的とする。
【課題を解決するための手段】
【０００９】
請求項１に記載の発明は、熱可塑性樹脂原料を加熱溶融し、その中に発泡剤を混合して溶融樹脂原料中に多数の大小気泡を生成し、かかる気泡含有樹脂原料を筒状フィルムに成形し、筒状フィルムの周壁内に気泡を含有させた状態とし、次いで筒状フィルムを扁平状に巻取るまでの間で、筒状フィルムが半硬化状態からゲル化した後に筒状フィルムの周壁内の気泡を気泡破裂手段により破裂させて筒状フィルムの全周壁に大きさや形状の異なる多数の通気孔を不整順に開口形成し、かかる多数の孔付き筒状フィルムを生育植物の全体を被覆可能な所定形状に裁断成形して構成したことを特徴とする生育植物の保護カバー体である。
【００１０】
請求項２に記載の発明は、請求項１に記載の発明において、気泡破裂手段は複数段に一定間隔で積層した円盤と、その外周縁を下方に向かった傾斜面により鋭角に形成した円盤先端縁と、それに沿った筒状フィルム内周面の間に形成した断面略三角形状の空気溜り空間と、積層した円盤間に空気を送気する空気供給経路とより構成したことを特徴とする。
【００１１】
請求項３に記載の発明は、請求項１又は請求項２に記載の発明において、筒状フィルムの全周壁に多数の通気孔を開口形成した後には、筒状フィルムを左右二本の弾性ガイド線の外方に沿って案内しながら扁平状に折り畳み、その後所定形状に裁断成形することを特徴とする。
【００１２】
請求項４に記載の発明は、請求項１〜請求項３のいずれか１項に記載の発明において、前記カバー体は下方開口部又は上方開口部を有した袋状に形成したことを特徴とする。
【００１３】
請求項５に記載の発明は、請求項１〜請求項４のいずれか１項に記載の発明において、前記カバー体は筒状から一定幅員の一枚のシート長尺形状に改変して巻取り、解舒しながら畑の畝の隆起部上面を畝の長手方向に沿って被覆可能な形状としたことを特徴とする。
【発明の効果】
【００１４】
請求項１に記載の発明によれば、熱可塑性樹脂原料を加熱溶融し、その中に発泡剤を混合して溶融樹脂原料中に多数の大小気泡を生成し、かかる気泡含有樹脂原料を筒状フィルムに成形し、筒状フィルムの周壁内に気泡を含有させた状態とし、次いで筒状フィルムを扁平状に巻取るまでの間で、筒状フィルムが半硬化状態からゲル化した後に筒状フィルムの周壁内の気泡を気泡破裂手段により破裂させて筒状フィルムの全周壁に大きさや形状の異なる多数の通気孔を不整順に開口形成し、かかる多数の孔付き筒状フィルムを生育植物の全体を被覆可能な所定形状に裁断成形して構成したことにより、半硬化状態の樹脂フィルム中で気泡が様々の形状に伸長した後にゲル化した気泡が破泡し、カバー体には無数の微細通気孔がアトランダムに形成されることになり、しかも、この通気孔はすべて大きさと形状が同一に形成されないため、袋形状として生育植物の全体を被覆した場合には、袋体内部との通気も多種流通形態において行われて生育植物に万遍なく少量の微量の外気を当てることができる効果がある。
【００１５】
更には、カバー体のシートが薄膜であるために生育植物に被覆する際に前後左右の任意の方向に引っ張ることにより微細な通気孔もカバー体のシートの収縮に伴い孔形状が任意に変形し、かつ、孔の大きさも変化することになるため、生育植物の環境に応じて通気孔の形態を変化して最適のカバー体のシート形態にして最適の通気機能を果たすことができる効果がある。
【００１６】
例えば、製作時のシート引張方向に沿って楕円形状に形成された孔に対し、製作時のシートの長手方向に沿った引張りを付与することにより通気孔の幅員は幅狭となりその分通気孔の面積は小となり、他方、製作時のシートの幅員方向に引張ることにより、通気孔の幅員は幅広となり、開口面積は大となる。このように通気孔の開口面積を調整してカバー体の通気機能を生育植物の環境に最も適合した形態で形成することができる効果がある。
【００１７】
更には、かかる調整可能な通気孔形状を利用することにより、太陽光の受光量も調整することができ、例えば、カバー体の色彩を変化させることにより太陽光の植物に及ぼす最適の光合成機能を果たすことができ、同時にカバー体の色彩による太陽光機能調整と相挨って通気孔から真正な太陽光の受光効果を最大限に発揮することができる効果がある。
【００１８】
また、破泡時の孔縁部のひだが長円孔の両側縁に長円に沿って形成されるためフィルムの縦方向表面は滑動しやすく横方向表面は滑り抵抗が生成し、カバー体の使い勝手を格段に向上することができる効果がある。
【００１９】
また、生育植物への雨水等の滴下も、孔縁部のひだが雨水の流下抵抗となり、微細な通気孔から直接に内部に流れ込むことがなく、生育植物に霧状に噴霧されると同じ効果を生起できるという効果も有する。
【００２０】
請求項２に記載の発明によれば、上方開口部を有した袋状のカバー体とすることで、植木鉢を袋状にして被覆することができ、この袋状で持ち運びをすることができ、霜や雨水等から保護できる保護カバー体として機能させることができる。
【００２１】
また、下方開口部を有した袋状のカバー体とすることで、横長のプランター上の生育植物に対して上方から被せて保護する保護カバー体として機能させることができる。
【００２２】
請求項３に記載の発明によれば、前記カバー体は一定幅員の長尺形状として巻取り、解舒しながら畑の畝の隆起部上面を畝の長手方向に沿って被覆可能な形状としているので、畑の畝の隆起部上面の形状に沿ってカバー体で被覆することができ、畝上に育成する植物を霜害や雨水等から保護できる効果を有する。
【００２３】
しかも、カバー体を筒状フィルムで構成することにより伸縮性に富んだ保護カバー体として機能させることができる。
【図面の簡単な説明】
【００２４】
【図１】生育植物の保護カバー体の全体構造を示した説明図である。
【図２】マルチフィルムの全体構造を示した説明図である。
【図３】本発明の実施例における筒状フイルムに複数の縦方向に長い楕円状の通気孔が開設される状態を説明する図である。
【図４】本発明の保護カバー体の製造に使用するカバー体製造装置を示す図である。
【図５】図４の一部拡大説明図である。
【図６】図５の一部拡大説明図である。
【図７】本発明の実施例における筒状フイルムに開設された複数の楕円状の通気孔の機能を説明する図である。
【図８】本発明の実施例における筒状フイルムに複数の縦方向に長い楕円状の通気孔が開設される構成を説明する図である。
【図９】植木鉢用保護カバー体の全体構造を示した説明図である。
【図１０】プランター用保護カバー体の全体構造を示した説明図である。
【発明を実施するための形態】
【００２５】
本発明は、大小多数の気泡を含有する加熱溶融された熱可塑性樹脂原料を筒状フィルムに成形して筒状フィルムの周壁内に気泡を含有させた状態とし、次いで筒状フィルムを扁平状に巻取るまでの間で、筒状フィルムが半硬化状態からゲル化した後に筒状フィルムの周壁内の気泡を気泡破裂手段により破裂させて筒状フィルムの全周壁に大きさや形状の異なる多数の通気孔を不整順に開口形成し、かかる多数の孔付き筒状フィルムを生育植物の全体を被覆可能な所定形状に裁断成形して構成したことを特徴とする生育植物の保護カバー体に関するものである。
【００２６】
本実施形態に係る生育植物の保護カバー体は、鉢植えの植物や畝植えの植物、露地植えの植物等の生育植物を霜や雨水等から防御するために好適に用いることができる。
【００２７】
ここで、本実施形態に係る生育植物の保護カバー体の原料となる熱可塑性樹脂原料は、特に限定されるものではない。一例として、ポリスチレンやポリプロピレンや高密度ポリエチレン等を挙げることができるが、それ以外の熱可塑性樹脂であっても良い。
【００２８】
また、加熱溶融させた熱可塑性樹脂中の気泡は、エアレーション等によって混入させたものであっても良いが、好ましくは発泡剤の添加により生成させたものが望ましい。発泡剤の添加によって気泡を生成させることにより、大小種々の大きさの気泡を生成させながらも、大半の気泡の径に比して大きく逸脱するような径の気泡が生成されるおそれが低く、製品の品質安定化が図られる。
【００２９】
発泡剤は熱可塑性樹脂の溶融時に与えられた熱によって、より具体的には、加熱され溶融状態となった熱可塑性樹脂中でその熱により発泡を開始するような発泡剤であるのが望ましい。
【００３０】
熱可塑性樹脂中に添加する発泡剤の量は、気泡を含む溶融状態の熱可塑性樹脂（以下、気泡含有樹脂ともいう。）中の気泡の体積割合が、おおよそ30〜60％となるような添加量とするのが望ましい。気泡含有樹脂中の気泡の体積割合が60％を上回る発泡剤の添加量とすると、通気孔の形成が過剰となり好ましくない。また、気泡含有樹脂中の気泡の体積割合が30％を下回る発泡剤の添加量とすると、十分な通気孔の形成ができず好ましくない。上述のような範囲の気泡割合となる発泡剤を添加することにより、更に良好な生育植物の保護カバー体とすることができる。
【００３１】
そして、本実施形態に係る生育植物の保護カバー体は、このような気泡含有樹脂を、例えば後述の押出成形手段や気泡破裂手段、扁平手段、巻取手段等を経ることで得ることができる。
【００３２】
こうして得られた生育植物の保護カバー体には、樹脂製のフィルムに無数の通気孔が形成されており、同保護カバー体内に収容された植物の生育に必要な通気や水分、光等を供給することができる。
【００３３】
また特に着目すべき点として、本実施形態に係る生育植物の保護カバー体に形成された通気孔は、前述の巻取手段による張力付与方向（引張方向）に沿った長径を有する略楕円形状となっている。
【００３４】
そして、この長径方向が揃った無数の楕円通気孔により、見方を変えると、フィルム自体は方向性を有した樹脂組織となっている。
【００３５】
それ故、本実施形態に係る生育植物の保護カバー体を構成するフィルムは、あたかもラスを設けた金属板の如く、所定方向（張力付与方向・通気孔の長径方向）にはあまり伸びず、所定方向と直交する方向（張力付与方向に直交する方向・通気孔の短径方向）には良く伸びるという機械的性質を備えている。
【００３６】
このため、本実施形態に係る生育植物の保護カバー体は、傷つきやすい植物を包み込むのに極めて有用であり、また、通気孔の開口面積を自在に調整して通気や水分、日光の透過をコントロールできるという優れた長所を有している。
【００３７】
以下、本実施形態に係る生育植物の保護カバー体について、図面を参照して詳細に説明する。図１は、植木鉢Ｃに被覆する植木鉢用保護カバー体１１の構造を示した斜視図である。また図２は、畝を被覆するマルチフィルム１２の構造を示した斜視図である。
【００３８】
本実施形態に係る生育植物の保護カバー体は、鉢植えの植物Ｅを霜や雨水等から防護する植木鉢用保護カバー体１１として使用したり、畝植えの植物Ｅや露地植えの植物Ｅ等を保護するマルチフィルム１２として使用するものである。
【００３９】
すなわち、植木鉢用保護カバー体１１は、図１に示すように、下方開口部Ｋ又は上方開口部Ｋ（図示せず）を有し、開口部Ｋとは反対端部にシール部Ｓを備えた袋状に形成したものである。
【００４０】
また、マルチフィルム１２は、図２に示すように、圃場の畝Ｕ上に被覆するシート状に形成したものである。
【００４１】
本発明では、植木鉢用保護カバー体１１やマルチフィルム１２は、図１や図２に示すように、その袋本体又はマルチフィルム本体が孔付き筒状フィルムＤで形成した点に特徴を有する。
【００４２】
図３は、孔付き筒状フィルムＤに、縦方向に長い複数の楕円状の通気孔Ｂが開設される状態を説明する図である。
【００４３】
すなわち、孔付き筒状フィルムＤを保護カバー体１１として植木鉢Ｃに被覆装着する際、保護カバー体として使用される孔付き筒状フィルムＤに開設された複数の楕円状の通気孔Ｂは、図３（ａ）に示すように、楕円の長手方向が保護カバー体１１の上下被覆方向と平行に配列されることとなる。
【００４４】
従って、通気孔Ｂの周縁の破泡ひだが長手方向に並んで植木鉢Ｃの縦方向の被覆がしやすく、被覆後は破泡ひだの抵抗により筒状フィルムＤの横ずれが起こりにくい。
【００４５】
このような孔付き筒状フィルムＤを植木鉢ＣやプランターＰへの保護カバー体１１として利用することにより、通常の植木鉢用の保護カバー体とは異なる効果を発揮する。更には、通常のマルチフィルム１２とも異なる種々の効果、すなわち、雨水の霧状滴下や風雨による畝からの横ずれの防止等の効果を発揮することができるものである。
【００４６】
以下に、本実施形態に係る植木鉢用保護カバー体１１やマルチフィルム１２を構成する孔付き筒状フィルムＤの製造方法を装置とともに図４〜６に基づき説明する。
【００４７】
まず、ポリスチレン、ポリプロピレン、高密度ポリエチレン等から選択した熱可塑性樹脂原料を加熱溶融し、その中に発泡剤を混合して溶融樹脂原料中に多数の大小気泡を生成し、かかる気泡含有樹脂原料を筒状フィルムに成形し、筒状フィルムＦの周壁内に気泡を含有させた状態とし、次いで筒状フィルムを扁平状に巻取るまでの間で、筒状フィルムが半硬化状態からゲル化した後に筒状フィルムＦの周壁内の気泡を気泡破裂手段により破裂させて筒状フィルムＦの全周壁に大きさや形状の異なる多数の通気孔Ｂを不整順に開口形成して孔付き筒状フィルムＤと、かかる多数の孔付き筒状フィルムＤを生育植物Ｅの全体を被覆可能な所定形状に裁断成形するものである。
【００４８】
図４に示すように、かかる孔付き筒状フィルムＤを作製する孔付き筒状フィルム成形装置１００は、熱可塑性樹脂原料４１を加熱溶融してその中に発泡剤を混合して溶融樹脂原料中に多数の大小気泡を生成する加熱溶融手段４０と、筒状フィルムＦの周壁内に気泡を含有させた状態としてかかる気泡含有樹脂原料を筒状フィルムＦに成形する押出成形手段４６と、筒状フィルムＦを扁平状に巻取るまでの間で、筒状フィルムが半硬化状態からゲル化した後に筒状フィルムＦの周壁内の気泡を破裂させて筒状フィルムＦの全周壁に大きさや形状の異なる多数の通気孔Ｂを不整順に開口形成する気泡破裂手段４７と、かかる孔付き筒状フィルムＤを扁平状にしてロール状に巻取る巻取手段５４と、孔付き筒状フィルムＤを生育植物Ｅの全体を被覆可能な所定形状に裁断形成する裁断成形手段（図示せず）とにより構成される。
【００４９】
加熱溶融手段４０は、溶融槽４２と、加熱ヒータ４４と、搬送コンベア４５とを備える。
【００５０】
すなわち、加熱溶融手段４０は、図４に示すように、熱可塑性樹脂原料４１を収納可能に溶融槽４２を構成し、溶融槽４２の上部には溶融樹脂原料を投入する投入口４３を構成し、溶融槽４２内には収納した熱可塑性樹脂原料４１を加熱する加熱ヒータ４４を構成し、溶融槽４２内にはスクリューコンベアからなる搬送コンベア４５を構成している。
【００５１】
押出成形手段４６は、図５に示すように、溶融槽４２の搬送先端側に連通連設されており、外枠型４６−２に一定間隔のスリットを保持して内枠型４６−１を収納し、内枠型４６−１と外枠型４６−２との間隔のスリットは、溶融槽４２により溶融された熱可塑性樹脂原料４１を円筒形状に上方に押出すための環状スリット６３を形成している。
【００５２】
また、環状スリット６３は、上方に向かってスリット幅員が漸次減少し、終端開口縁は、筒状フィルムＦを成形する押出口６２を構成しており、フィルムの厚み規制はこの押出口６２の幅員の調整による。なお、６２は外枠型４６−２の内部に連通した樹脂通路を示す。
【００５３】
気泡破裂手段４７は、前記押出成形手段４６で成形された筒状フィルムＦの周壁内の気泡を破裂させるものであり、複数段に一定間隔で積層した円盤５０と、その外周縁を下方に向かった傾斜面に形成して鋭角とした円盤先端縁５８ｂと、それに当接した筒状フィルムＦ内周面により形成した断面略三角形状の空気溜り空間５８ａと、積層した円盤５０間の空間に空気を送気する空気供給経路Ｏとより構成している。しかも、後述するように筒状フィルムＦの押出し成形初期は半硬化状樹脂とし、その後ゲル化して気泡を固化し気泡破裂手段４７により破泡する。
【００５４】
しかも、押出成形手段４６における環状スリット６３上方に一定間隔で積層した複数段の円盤５０は最下層から３〜４段目までは漸次径が拡大し、その上方段は同径或いはやや拡径の積層円盤としている。
【００５５】
更には、最下層から複数段目、例えば、３〜４段目の円盤まで押出され拡径の筒状となる熱可塑性樹脂原料４１は、未硬化状態の樹脂原料のまま、すなわち、ゲル化しないままで保形される速度で押出成形を行う。未硬化状態とはいっても一定のシート状の形状を保形した状態であり、上方に連続して引張り上げられるだけの粘性を有している。
【００５６】
この未硬化の未ゲル化状態で押出成形された筒状フィルムＦ中には気泡が含有されているが、樹脂原料は半溶融状態で粘稠性を有しているため半硬化状態で気泡周壁が伸長し、含有された気泡も縦方向に伸長する。しかし、この状態ではまだ気泡は破泡していない。
【００５７】
そして、環状スリット６３から押し出されて0.5〜1.8秒で円盤の３〜４段目より上方に至ると樹脂原料は未硬化状態から徐々にゲル化していき、ゲル化した気泡周壁において気泡が固化し、気泡破裂手段４７により完全に破泡し、筒状フィルムＦ周壁に破泡による多数の孔が形成される。
【００５８】
このように、押出成形手段４６によって筒状フィルムＦが成形されて積層円盤の外周縁に沿って引張り上げられる筒状フィルムＦは、下層円盤から３〜４段上方の円盤に至るまでは樹脂原料は未硬化状態で上方に移動し、徐々にゲル化状態となって引張り上げられる。このことにより、次のような状況が理解できる。
【００５９】
（１）最下層の円盤から未硬化状態で引張り上げられる距離を長くすれば（積層した円盤の数が多くなれば）その分包含気泡は縦長に引っ張られて徐々にゲル化し破裂した後は、縦長に伸長した大き目の気泡を形成する。
【００６０】
換言すれば、未硬化状態の樹脂原料を引張り上げる距離や時間や未硬化状態でガイドされる積層円盤の個数等を調整することにより破裂気泡の縦長孔の大きさを調整することができる。例えば、本実施形態では、未硬化状態の樹脂原料がゲル化（破泡可能な程度に固化）するまでの時間は0.5〜1.8秒としている。
【００６１】
（２）筒状フィルムＦを引張り上げる際の時間経過とともに未硬化状態の樹脂原料は徐々にゲル化していくため、引上げ速度を調整することによって破裂気泡の縦長孔の大きさを調整することができる。例えば、本実施形態では、筒状フィルムＦの引上げ（巻取）速度は10〜25m/minとしている。
【００６２】
（３）未硬化状態の樹脂原料を上方に引張ることで形成される気泡の縦長形成（縦長楕円孔）は、ゲル化状態で破裂する際に破裂ひだが縦長の破裂孔の左右縁に形成され破裂ひだが縦方向になびく。その結果、多数筒状フィルムの孔表面は、フィルムの進行方向に対して左右縁のひだが干渉しないため滑動しやすくなるに対しては、進行横断方向に対しては左右縁の破裂ひだが微細突片となり横滑りに干渉して滑りにくくなる。従ってフィルムを生育植物の保護カバーとして使用する場合は植物Ｅに上方から被覆したり除去したりする取扱いが容易となり、他方、一旦被覆した場合は気泡の破裂ひだが植物表面と干渉して横方向のずれを防止し、風圧等により植物の一方に片寄ってずれることがなく万遍に植物を覆う被覆保護カバー体として機能することができる。更には、左右縁ひだが通気孔Ｂの周縁に植生状態で存在するため、筒状フィルムＦの表面を伝って雨水が直接に通気孔Ｂに流入せず、細かい霧状雨水として筒状フィルムＦから内収容植物に噴霧される。
【００６３】
（４）筒状フィルムＦは引き上げられる際に円盤の外周縁部に沿って引き上げられるが、最下層から数段の円盤に至るまでは筒状フィルムが未硬化状態であるため、空気圧により拡開気味に膨大し、円盤外周縁との接触が全んど生起せず、その分筒状フィルムの引上げに円盤抵抗がない。しかし、その上方に変位するに従いゲル化していき硬化した筒状フィルム内面と円盤外周縁との滑動がしやすく硬化フィルムの引上げが円滑に行われる。
【００６４】
すなわち、図６（ａ）に示すように、円盤５０は、複数段に一定間隔で積層し、最下部に配置された円盤５０の直径が最も小さく、その最下段から所定直径になる３段目までは直径が段階的に大きくなるように構成し４段目からは同直径となって複数段重ねている。
【００６５】
また、円盤５０の外周縁は、前述した通り図６（ａ）に示すように、下方に向かった傾斜面により鋭角に形成した円盤先端縁５８ｂを形成している。
【００６６】
また、積層した円盤５０を中心部において支持する中空パイプ５１は内部に空気を送気する空気供給経路Ｏを形成しており、コンプレッサーの空気供給手段６０からエアー供給管６１を介して圧搾空気を送気する。そして、中空パイプ５１の外周壁には積層した円盤間に送気するための複数のエアー吹出口５７が開設されている。
【００６７】
巻取手段５４は、前記気泡破裂手段４７を含む積層円盤の上方に配設し、２本の弾性ガイド線５２ａ，５２ａからなる扁平手段５２と、一組のピンチローラ５３、５３と、ガイドローラ５５，５５と、巻取装置（図示せず）とにより構成している。
【００６８】
裁断成形手段（図示せず）は、巻取手段５４により巻取される孔付き筒状フィルムＤの下手側に配設されており、植物Ｅのカバー体の大きさにシーリングしてシール部Ｓを形成するシール機構（図示せず）と、シール部の後縁に裁断可能なようにミシン目（図示せず）を形成するミシン目形成機構（図示せず）とを備える。
【００６９】
なお、マルチフィルム１２として使用する場合には、シーリングなしで長手状のフィルムとして使用するため前記シール機構及び前記ミシン目形成機構の配置は不要とすることができる。
【００７０】
孔付き筒状フィルム成形装置１００により保護カバー体１１としての孔付き筒状フィルムＤを作製する方法及びその装置は前述の通りである。
【００７１】
なお、図４に示すように、孔付き筒状フィルムＤは左右二本の弾性ガイド線５２ａ，５２ａの外方に沿って案内されながら扁平状に折り畳まれる。
【００７２】
そして、巻取手段５４により、一組のピンチローラ５３、５３及びガイドローラ５５，５５を通して巻取装置（図示せず）によりロール状保護カバー体（図示せず）としてロール状に巻き取られる。
【００７３】
なお、マルチフィルム１２の場合には、孔付き筒状フィルムＤの形態で巻き取った後、孔付き筒状フィルムＤを解舒しながらの軸線方向に切り開くことにより一定幅員のシート長尺に改変して別の巻取装置で巻取するようにして作製する。
【００７４】
ここで、図４〜６を参照して、筒状フィルムＦの周壁内の気泡が気泡破裂手段４７により破泡されて、筒状フィルムＦの全周壁に大きさや形状の異なる多数の通気孔Ｂが不整順に形成される態様について説明する。
【００７５】
図４に示すように、所定厚みに引き伸ばされた筒状フィルムＦは、複数の円盤５０の円盤先端縁５８ｂと接触しながら巻取手段５４により上方に巻き上げられる。
【００７６】
円盤５０の外周端には下方に向かった傾斜面を鋭角に形成した円盤先端縁５８ｂが形成されており、また円盤５０の円盤先端縁５８ｂには上端鋭角部５８ｃが形成されており、この上端鋭角部５８ｃに筒状フィルムＦの内周面が接触する。
【００７７】
そして、空気供給経路Ｏを通して中空パイプ５１の外周壁に設けた複数のエアー吹出口５７から積層した円盤５０間に空気を送気すると、円盤５０の円盤先端縁５８ｂと筒状フィルムＦの内周面との間に断面略三角形状の空気溜り空間５８ａが形成される。
【００７８】
そして、筒状フィルムＦの押出成形初期では、前述の通り、樹脂が未硬化状態であるため粘性を有しており、気泡が空気圧で伸長しても破泡しない。しかし、ゲル化すると樹脂に含有された気泡は固化し破泡して薄膜フィルムに破泡孔を形成する。
【００７９】
すなわち、筒状フィルムＦの内方に吹き込まれた圧搾空気は、空気溜り空間５８ａの下側開口部より空気溜り空間５８ａの上側狭窄部へ向かって圧送され、その圧送付勢力により、ゲル化した筒状フィルムＦの内周面のうち、特に円盤５０周縁の空気溜り空間５８ａに位置した筒状フィルムＦの内周面は大きく膨出されて破泡を促すことになる。
【００８０】
なお、前記円盤先端縁５８ｂは、図６（ａ）の形状に限られず、図６（ｂ）に示すように、下方に向かった傾斜面を湾曲状に構成することもできる。
【００８１】
また、エアー吹出口５７から筒状フィルムＦの内部に吹き込まれる空気を加熱することにより、加熱膨張空気となって空気溜り空間５８内でより強く筒状フィルムＦの内周面を圧迫し破裂穿孔するように構成することもできる。
【００８２】
また、エアー吹出口５７の開口径は、圧送供給されるエアにより吹出音が生起される径としている。
【００８３】
このような構成とすることにより、各円盤５０間に形成された空間内で吹出音を反響させて定常波を生成し、この定常波の音圧によって破泡を促すことができる。
【００８４】
このようにして、図７（ａ）に示すように、筒状フィルムＦに封じ込められた中央部が幅Ｌ１を有した縦方向に長楕円形状の気泡Ａは、筒状フィルムＦの内部からの空気圧による押圧付勢により、図７（ｂ）に示すように中央部が幅Ｌ１から幅Ｌ２に横方向に押し広げられる。
【００８５】
そして、筒状フィルムＦの内周面と、円盤５０の外周上端縁の上端鋭角部５８ｃとの接触及び空気溜り空間５８ａの空気圧による押圧付勢により、気泡Ａを覆う表面の薄膜を破裂させ、異なる大きさ及び形状で、筒状フィルムＦの縦方向に楕円状の多数の通気孔Ｂが異なる位置に不規則に穿孔開設されることになる。
【００８６】
筒状フィルムＦの樹脂内に封じ込められた気泡Ａは、図８（ａ）に示すように、薄い薄膜Ｆ１により表面が覆われており、前述の通り空気溜り空間５８ａの空気圧による押圧付勢により気泡Ａの表面の薄膜Ｆ１が破裂して、図８（ｂ）に示すように、筒状フィルムＦの縦方向に長い楕円状の通気孔Ｂが穿孔開設される。
【００８７】
また、図８（ｂ）に示すように、筒状フィルムＦに開設された通気孔Ｂの内周端面には、破裂した気泡Ａの表面を覆う薄膜Ｆ１の破泡による破裂片Ｆ２、いわゆる破裂ひだが破泡の外周縁に縦方向に並んで残る。
【００８８】
このように、気泡破裂手段４７により、筒状フィルムＦの全周壁に通気孔Ｂを大きさや形状が異なる状態で多数に穿孔開設することができる。
【００８９】
この場合でも、筒状フィルムＦに開設された複数の通気孔Ｂは、未硬化状態の樹脂中で伸長されているために、巻取手段５４により上部に巻き上げられる状態と相俟って縦方向の楕円状に形成される。更には、エアー吹出口５７から筒状フィルムＦの内部に圧搾空気が吹き込まれることによって筒状フィルムＦの原料となる熱可塑性樹脂原料４１は冷却され、図８（ｂ）に示すように、複数の通気孔Ｂは縦方向に長い楕円状でゲル化される。
【００９０】
このようにして多数の孔付き筒状フィルムＤを得ることができ、この多数の孔付き筒状フィルムＤを植木鉢用保護カバー体１１の本体として、又は畝Ｕ上面を被覆可能なマルチフィルム１２の本体として使用する。
【００９１】
以下、具体的な植木鉢用保護カバー体１１の使用方法について説明する。
【００９２】
植木鉢用保護カバー体１１に使用する場合には、前記孔付き筒状フィルム成形装置１００で形成されたロール状保護カバー体（図示せず）から帯状に解舒しながらミシン目により一枚ずつ裁断することで、所定形状を有する植木鉢用保護カバー体１１を得る。
【００９３】
そして、図１に示すように、植木鉢用保護カバー体１１は、生育植物Ｅの全体を被覆可能な大きさを有しており、植木鉢Ｃに対して上方または下方から被覆可能に構成している。
【００９４】
すなわち、下部にシール部Ｓを有し、上部に開口部Ｋを有する袋形状を有する。
【００９５】
しかも、植木鉢用保護カバー体１１は、製作時のシート引張方向に沿った楕円形状の製作時のシートの長手方向に沿った引張りにより通気孔Ｂの幅員は幅狭となりその分通気孔Ｂの面積は小となり、他方、製作時のシートの幅員方向に引張ることにより、通気孔Ｂの幅員は幅広とすることができる。
【００９６】
すなわち、保護カバー体１１を植木鉢Ｃに装着する際、保護カバー体１１の本体を構成する孔付き筒状フィルムＤに開設された複数の通気孔Ｂは、その長手方向が保護カバー体の垂直方向と平行に配列されているので、図３（ｂ）に示すように、孔付き筒状フィルムＤの幅方向に伸縮性に優れることになる。
【００９７】
なお、孔付き筒状フィルムＤについては、伸縮自在、又は伸長した後で収縮せずにそのままの形態で保持できるように構成することもできる。
【００９８】
この性質を利用することにより、図１に示すように、植木鉢Ｃ等を保護する保護カバー体１１としては幅方向に拡開させながら挿入させることができ、しかも、袋状を有する保護カバー体１１の開口部Ｋの口縁を収縮させて閉じることができる。
【００９９】
このようにして、植木鉢Ｃ及び生育植物Ｅ全体を保護カバー体１１で被覆することができる。
【０１００】
また、植木鉢Ｃに使用する場合に、下部がシールされ上方開口部Ｋを有した袋状に形成した筒状フィルムを使用することにより、袋内に収納された植木鉢Ｃに形態にでき、しかも、袋形態のままで持ち運びが可能である。
【０１０１】
そして、植木鉢用保護カバー体１１を構成する孔付き筒状フィルムＤには大小の形状の異なる孔を有しているが、この孔は無数の通気孔Ｂとして機能する。
【０１０２】
すなわち、通気孔Ｂは各形状が異なって保護カバー体１１上に形成されており、無数の通気孔Ｂを通して多種多様に流通させながら取り込むことができ、生育植物Ｅに万遍なく光合成に必要な空気を与えることができる。
【０１０３】
また、太陽光の受光量も調節可能であり、孔付き筒状フィルムＤ上の通気孔Ｂの大きさにより光合成に必要な受光量の調節も可能としている。
【０１０４】
さらに、保護カバー体１１には色彩を付すことが可能である。例えば花の色に応じた色彩にすることができ、判別性に富む。
【０１０５】
しかも、保護カバー体１１の色彩を変化させることにより、植物Ｅに及ぼす最適な光合成機能を果たすことができる。
【０１０６】
また、前記空気量の調節と相俟って太陽光機能調整を果たすことができる。
【０１０７】
又は、植木鉢用保護カバー体１１を黒色にすることにより、夏場の遮光性を増すようにしている。
【０１０８】
さらに、植木鉢用保護カバー体１１の微細な通気孔Ｂによって霜や多量の雨水の浸入を防ぐことができる。
【０１０９】
すなわち、植物Ｅに多量の水が浸入するのを防止でき、多量の水の浸入による根腐れの予防ができ、適度な水分供給を行うことができる。
【０１１０】
なお、霜や雨水等の状況に応じて孔の大きさが異なるものを使い分けることができる。
【０１１１】
しかも、微細な通気孔Ｂによって植物Ｅに対して霧状に水を吹付ける形態とすることができる。
【０１１２】
また、植木鉢Ｃ上の生育植物Ｅをナメクジ、アブラムシ、カタツムリ、蟻等の害虫の食害、猪や鳥類等の害獣の食害を防止するために、通常では殺虫剤を使用したりするが、本発明では孔付き筒状フィルムＤを本体とする保護カバー体１１として使用することにより、殺虫剤が不要になる。
【０１１３】
すなわち、本発明では孔付き筒状フィルムＤを適用した植木鉢用保護カバー体１１としており、これが忌避材となり前記害虫等の浸入を防止できる。
【０１１４】
図９は、支持棒１５を配設した植木鉢Ｃに適用する植木鉢用保護カバー体１１の全体構造を示した説明図である。
【０１１５】
なお、植木鉢Ｃ内には支持棒１５を立て、この支持棒１５の上方で保護カバー体１１を被せることにより、保護カバー体１１の内周面と植物Ｅとの間に空間部を形成することができ、また、袋内面が植物Ｅに接触するのを防止する役目を有する。
【０１１６】
また、植木鉢用保護カバー体１１の形態は、前記支持棒１５等の数や配置によって、植木鉢Ｃに装着した状態では円筒状や袋状にすることができる。これにより、商品等として外観上においても見栄えが良くなる。
【０１１７】
さらに、図１及び図９に示すように、袋の上端部や下端部において留め具１３で留めるように構成している。本発明に係る植木鉢用保護カバー体１１は、孔付き筒状フィルムＤ内の通気孔Ｂにより留め具１３の先端部が係止しやすくなる。
【０１１８】
すなわち、植木鉢用保護カバー体１１の通気孔Ｂと袋本体とで微小な凹凸面を形成することになり、この凹凸面が留め具１３の滑り止めとして機能する。
【０１１９】
しかも、その袋本体は軟質な樹脂製素材のために留め具１３への接地性を良くするものである。
【０１２０】
なお、本発明では植木鉢Ｃ等に係止できるように孔付き筒状フィルムＤに係止部を構成することもできる。
【０１２１】
すなわち、前記通気孔Ｂとはサイズの大きな丸孔や略三角形孔を穿設することで係止部（図示せず）を設け、その係止部を植木鉢Ｃ底部の高台等の凸部や凹部等に係止し、孔付き筒状フィルムＤの伸縮性を利用することにより植物Ｅを生育させた植木鉢Ｃ全体を被覆することができる。
【０１２２】
この場合は、下方開口部Ｋを有する袋状の保護カバー体１１の開口部Ｋ側に前記係止部を設ける。
【０１２３】
さらに、保護カバー体１１内にＬＥＤ電球等を配設することができる。すなわち、ＬＥＤ電球を備えたクリスマスツリーを被覆することで、通常とは異なるクリスマスツリーを演出可能である。
【０１２４】
次に、保護カバー体１１をプランターＰに適用する場合について説明する。
【０１２５】
前記では、孔付き筒状フィルムＤを袋状に構成したものを植木鉢Ｃに適用したが、プランターＰ用の保護カバー体１１として使用することができる。
【０１２６】
図１０は、プランターＰ用の保護カバー体１１の全体構造を示した説明図である。
【０１２７】
図１０に示すように、横長のプランターＰに使用する場合、前記植木鉢Ｃの形態とは異なり、上部にシール部Ｓを有し下方開口部Ｋを有した袋状に形成した保護カバー体１１を植物Ｅに被せて使用して、プランターＰに植生した植物Ｅのみを保護するような形態をとることができる。
【０１２８】
次に、具体的なマルチフィルム１２の使用方法について図２を参照して説明する。図２は、マルチフィルム１２の適用例を説明する説明図である。
【０１２９】
マルチフィルム１２は、トラクタの後部に、前側から順に、ロータリ耕耘装置と、畝整形器と、マルチフィルム敷設装置とを備えた畝立てマルチャを装着し、走行しながら耕耘して畝立てをし、その畝Ｕに敷設するものである。
【０１３０】
通常のマルチフィルムは、畝Ｕ内の地温上昇や雑草抑制を目的とするものであるが、本発明では、図２に示すように、孔付き筒状フィルムＤからの改変シート材を適用することにより、従来のマルチフィルムにはない伸縮性に優れている効果が発揮される。
【０１３１】
すなわち、一定幅員の長尺形状として巻取り、解舒しながら畑の畝Ｕの隆起部上面を畝Ｕの長手方向に沿って被覆可能な形状としたマルチフィルム１２を適用することで、幅方向に伸縮させながら畝Ｕの上面に被覆できる構成している。
【０１３２】
なお、前記植木鉢用の保護カバー体１１は袋形状として構成しているが、マルチフィルム１２では筒状の形状ではなく、その孔付き筒状フィルムＤを軸線方向に切り開くことにより一定幅員の一枚のシート長尺形状に改変して使用する。
【０１３３】
そして、図２に示すように、マルチフィルム１２に被覆する際、孔付き筒状フィルムＤの通気孔Ｂを利用して左右に伸長させることが可能である。しかも、横長の畝Ｕの幅に応じて自由に選択することができる。なお、マルチフィルム１２上には、畝Ｕ上に育成された植物Ｅの葉茎部を通す通し孔１４を縦横に所定間隔を有して複数配設することができる。
【０１３４】
本発明のマルチフィルム１２は、場所や環境に応じて色毎に適用することができる。例えば、遮光性を必要な場合には、黒色のマルチフィルム１２を使用する。
【０１３５】
また、光反射性を有するマルチフィルム１２を使用することにより、害虫等を忌避することができる。
【０１３６】
このように孔付き筒状フィルムＤを利用したマルチフィルム１２とすることにより、伸縮性に富む孔付き筒状フィルムＤを適用することができ、畝Ｕの形状に沿って被覆することができ、しかも、露害や雨水等から保護できる効果を有する。
【０１３７】
以上、本実施例を通して本発明を説明してきたが、本発明はこれらに限定されるものではない。また、上述した各効果は、本発明から生じる最も好適な効果を列挙したに過ぎず、本発明による効果は、本実施例に記載されたものに限定されるものではない。
【符号の説明】
【０１３８】
Ｂ  通気孔
Ｅ  生育植物
Ｄ  孔付き筒状フィルム
Ｆ  筒状フィルム
Ｋ  開口部
Ｏ  空気供給経路
Ｕ  畝
１１  保護カバー体
１２マルチフィルム
４１  熱可塑性樹脂原料
４７  気泡破裂手段
５０  円盤
５２ａ，５２ａ  弾性ガイド線
５８ｂ  円盤先端縁
５８ａ  空気溜り空間
【図１】
2015198575.tif 000003
【図２】
2015198575.tif 000004
【図３】
2015198575.tif 000005
【図４】
2015198575.tif 000006
【図５】
2015198575.tif 000007
【図６】
2015198575.tif 000008
【図７】
2015198575.tif 000009
【図８】
2015198575.tif 000010
【図９】
2015198575.tif 000011
【図１０】
2015198575.tif 000012